(57)【特許請求の範囲】
【請求項１】
発光ダイオードを光源とする光源ユニットと、前記光源ユニットに給電して点灯させる電源ユニットと、前記光源ユニット及び前記電源ユニットを支持する器具本体と、前記光源ユニットを覆うようにして前記器具本体に取り付けられるカバーと、遮断部とを備え、
前記遮断部は、前記カバーが前記器具本体に取り付けられている場合に前記電源ユニットから前記光源ユニットへの給電を遮断せず、前記カバーが前記器具本体に取り付けられていない場合に前記電源ユニットから前記光源ユニットへの給電を遮断するように構成されており、
前記遮断部は、前記器具本体に対して前記カバーが取り付けられているか否かを検知する検知部と、前記検知部の検知結果に応じて前記電源ユニットを制御する制御部とを有し、
前記制御部は、前記器具本体に前記カバーが取り付けられていない場合、前記光源ユニットへの給電を遮断するように前記電源ユニットを制御し、前記器具本体に前記カバーが取り付けられている場合、前記光源ユニットへの給電を遮断しないように前記電源ユニットを制御し、さらに、前記検知部が前記カバーの取り付けを検知すると、前記電源ユニットを制御して前記光源ユニットの光量を第１の光量から第２の光量まで徐々に増やすように構成されていることを特徴とする照明器具。
【請求項２】
発光ダイオードを光源とする光源ユニットと、前記光源ユニットに給電して点灯させる電源ユニットと、前記光源ユニット及び前記電源ユニットを支持する器具本体と、前記光源ユニットを覆うようにして前記器具本体に取り付けられるカバーと、複数の遮断部とを備え、
前記複数の遮断部はそれぞれ、前記カバーが前記器具本体に取り付けられている場合に前記電源ユニットから前記光源ユニットへの給電を遮断せず、前記カバーが前記器具本体に取り付けられていない場合に前記電源ユニットから前記光源ユニットへの給電を遮断するように構成されており、
前記カバーは、複数の取り付け状態の中から選択可能な任意の１つの取り付け状態で前記器具本体に取り付けられるように構成され、
前記光源ユニットは、複数の発光ダイオードモジュールを有し、
前記複数の遮断部のそれぞれは、前記複数の取り付け状態のうちの互いに異なる１つの前記取り付け状態において、前記複数の発光ダイオードモジュールの中から選択される１つ又は複数の前記発光ダイオードモジュールへの給電を遮断しないように構成されていることを特徴とする照明器具。
【請求項３】
前記遮断部は、前記電源ユニットの一方の出力端子と電気的に接続されている第１接点部と、前記光源ユニットの入力端子と電気的に接続されている第２接点部とを有し、前記第１接点部及び前記第２接点部は、前記カバーが前記器具本体に取り付けられている状態において接触して導通し、前記カバーが前記器具本体に取り付けられていない状態において接触せずに非導通となるように構成されていることを特徴とする請求項１又は２記載の照明器具。
【発明の詳細な説明】
【技術分野】
【０００１】
本発明は、照明器具に関する。
【背景技術】
【０００２】
従来例として、特許文献１記載の照明器具を例示する。特許文献１記載の照明器具は、ＬＥＤ照明灯と、ＬＥＤ照明灯が配置される基台を有する器具本体と、ＬＥＤ照明灯を覆うように器具本体に装着されるセードと、ＬＥＤ照明灯を点灯させる電源装置とを備えている。
【０００３】
ＬＥＤ照明灯は、コネクタを介して電源装置と電気的に接続されている。電源装置は、交流電源から供給される交流電力を直流電力に変換し、コネクタを介してＬＥＤ照明灯に供給するように構成されている。また、特許文献１記載の照明器具は、インターロックスイッチを備えている。インターロックスイッチは、交流電源と、電源装置の全波整流回路との間に電気的に直列接続されている。インターロックスイッチは、電源装置とＬＥＤ照明灯がコネクタを介して電気的に接続されているときにオンとなり、電源装置とＬＥＤ照明灯がコネクタを介して電気的に接続されていないときにオフとなる。つまり、電源装置は、コネクタを介してＬＥＤ照明灯と電気的に接続されている場合、交流電源から給電されてＬＥＤ照明灯を点灯する。一方、電源装置は、コネクタを介してＬＥＤ照明灯と電気的に接続されていない場合、交流電源から給電されずにＬＥＤ照明灯を点灯しない。
【０００４】
上述のように構成される特許文献１記載の照明器具は、光源（ＬＥＤ照明灯）の取り外しの際の安全性向上を確保できるとされている。
【先行技術文献】
【特許文献】
【０００５】
【特許文献１】特開２０１１−５４５５１号公報
【発明の概要】
【発明が解決しようとする課題】
【０００６】
ところで、特許文献１記載の照明器具においては、セードが器具本体に装着される前に、電源装置とＬＥＤ照明灯がコネクタを介して接続されるので、作業者がＬＥＤ照明灯を直視してしまう可能性が高い。一般に、照明用のＬＥＤは輝度が高いので、発光しているＬＥＤを人が直視することは好ましくない。
【０００７】
本発明は、上記課題に鑑みてなされており、発光しているＬＥＤ（発光ダイオード）が直視され難くすることを目的とする。
【課題を解決するための手段】
【０００８】
本発明の一態様に係る照明器具は、発光ダイオードを光源とする光源ユニットと、前記光源ユニットに給電して点灯させる電源ユニットと、前記光源ユニット及び前記電源ユニットを支持する器具本体と、前記光源ユニットを覆うようにして前記器具本体に取り付けられるカバーと、遮断部とを備え、前記遮断部は、前記カバーが前記器具本体に取り付けられている場合に前記電源ユニットから前記光源ユニットへの給電を遮断せず、前記カバーが前記器具本体に取り付けられていない場合に前記電源ユニットから前記光源ユニットへの給電を遮断するように構成されており、前記遮断部は、前記器具本体に対して前記カバーが取り付けられているか否かを検知する検知部と、前記検知部の検知結果に応じて前記電源ユニットを制御する制御部とを有し、前記制御部は、前記器具本体に前記カバーが取り付けられていない場合、前記光源ユニットへの給電を遮断するように前記電源ユニットを制御し、前記器具本体に前記カバーが取り付けられている場合、前記光源ユニットへの給電を遮断しないように前記電源ユニットを制御し、さらに、前記検知部が前記カバーの取り付けを検知すると、前記電源ユニットを制御して前記光源ユニットの光量を第１の光量から第２の光量まで徐々に増やすように構成されていることを特徴とする。
【発明の効果】
【０００９】
本発明の照明器具は、発光しているＬＥＤ（発光ダイオード）が直視され難くなるという効果がある。
【図面の簡単な説明】
【００１０】
【図１】図１は、本発明の実施形態１に係る照明器具の下から見た分解斜視図である。
【図２】図２は、同上の照明器具の上から見た分解斜視図である。
【図３】図３は、同上の照明器具の断面図である。
【図４】図４は、同上の照明器具におけるＬＥＤモジュールの正面図である。
【図５】図５Ａは、同上の照明器具の回路ブロックであり、図５Ｂは、同上の照明器具の電源ユニットにおける点灯回路部の回路図である。
【図６】図６Ａは、同上の照明器具における引掛前の引掛部と遮断部の平面図であり、図６Ｂは、同上の照明器具における引掛後の引掛部と遮断部の平面図である。
【図７】図７は、本発明の実施形態２に係る照明器具の回路ブロック図である。
【図８】図８は、同上の実施形態２に係る照明器具の動作説明用のタイミングチャートである。
【図９】図９は、本発明の実施形態３に係る照明器具の回路ブロック図である。
【図１０】図１０Ａは、同上の実施形態３に係る照明器具の器具本体の正面図であり、図１０Ｂは、同上の実施形態３に係る照明器具のカバーの平面図である。
【発明を実施するための形態】
【００１１】
以下、実施形態に係る照明器具について、図面を参照して詳細に説明する。以下に説明する実施形態は、発光ダイオードを光源とする光源ユニットを備えた照明器具に関する。なお、以下に説明する実施形態は一例にすぎず、設計等に応じて種々の変更が可能である。
【００１２】
（実施形態１）
実施形態１に係る照明器具Ｘ１（以下、照明器具Ｘ１と略す）は、図１〜図３に示すように、器具本体１と、器具本体１の前面（下面）に取り付けられる光源ユニット２と、電源ユニット６とを備えている。また、照明器具Ｘ１は、光源ユニット２を前方（下方）から覆うように器具本体１に取り付けられるカバー３を備える。さらに、照明器具Ｘ１は、内カバー４及び外枠５などを備えている。なお、照明器具Ｘ１は、住宅の天井に配設されている引掛シーリングＹに取り付けられる、いわゆるシーリングライトである。したがって、図１において、器具本体１からカバー３に向かう向きが下向きとなり、カバー３から器具本体１に向かう向きが上向きとなる。
【００１３】
器具本体１は、鋼板などの金属板によって、おおよそ円盤状に形成されている。器具本体１は、下向きに突出する支持台１０を有している。支持台１０は、おおよそ円錐台形状に形成されている。ただし、支持台１０の中央には、上向きに凹んだ凹所１１が設けられている。また、凹所１１の底面には、引掛シーリングアダプタ１２が着脱可能に装着されている（図１及び図３参照）。引掛シーリングアダプタ１２は、一対の引掛刃を有しており、天井に設置されている引掛シーリングＹの引掛刃用引掛部に一対の引掛刃がかん合されることで引掛シーリングＹに取り付けられる。ただし、このような引掛シーリングＹ及び引掛シーリングアダプタ１２は従来周知であるから、詳細な説明を省略する。
【００１４】
外枠５は、図１〜図３に示すように、円筒形の本体部５０、本体部５０の下端から径方向に沿って外向きに突出する円環状の鍔部５１、本体部５０の上端から径方向に沿って内向きに突出する台形状の３つの固定片５２などを有する。ただし、本体部５０、鍔部５１及び３つの固定片５２は、スチレン樹脂などの合成樹脂によって一体に形成されることが好ましい。外枠５は、本体部５０の内側に器具本体１を収容するように構成されている（図３参照）。外枠５は、３つの固定片５２がねじ止めされて器具本体１に固定されている。
【００１５】
カバー３は、図１〜図３に示すように、上面が開放された有底円筒形に形成されている。また、カバー３は、下側の底壁３０がおおよそドーム形に形成されている。さらに、カバー３は、上端部分の内周面から径方向に沿って内向きに突出する複数（図示例では６つ）の突部３２を有している（図２参照）。これらの突部３２は、上から見て三角形状若しくは台形状に形成されることが好ましい。カバー３は、アクリル樹脂等の透光性を有する合成樹脂に、拡散材が混入された成形体で構成されている。なお、カバー３は、器具本体１の下面における外周縁近傍に設けられている複数（図示例では３つ）の引掛部１３に、複数（６つのうちの３つ）の突部３２がそれぞれ引っ掛けられることで器具本体１に着脱可能に取り付けられている。
【００１６】
光源ユニット２は、４つのＬＥＤモジュール２０を有している。これら４つのＬＥＤモジュール２０は、全て共通の構成を有している。個々のＬＥＤモジュール２０は、図４に示すように、基板２１と、複数個（図示例では１２８個）のＬＥＤ２２とを有している。基板２１は、例えば、ガラス布基材エポキシ樹脂などの電気絶縁性を有する材料によって、円環を周方向に４等分した形状に形成されることが好ましい（図１及び図４参照）。また、基板２１は、銅はくからなる導電路が形成されている第１面（下面）に、ＬＥＤ２２が実装されている。さらに、基板２１の第１面には、レセプタクルコネクタ２３も実装されている。レセプタクルコネクタ２３は、第１面に形成されている導電路と電気的に接続されている。
【００１７】
４つのＬＥＤモジュール２０は、基板２１の第２面（上面）を器具本体１の支持台１０の下面に接触させ、かつ、円環状に並べて配置されている（図１参照）。そして、これら４つのＬＥＤモジュール２０は、内カバー４によって器具本体１に固定されている（図３及び図５参照）。
【００１８】
内カバー４は、図１及び図３に示すように、アクリル樹脂やポリカーボネート樹脂などの透光性を有する合成樹脂により、中央に円形の孔４０を有し、かつ孔４０の外側が下向きに膨らんだ円環状に形成されている。内カバー４の下向きに膨らんだ部分（以下、膨出部４１と呼ぶ）は、径方向における断面形状が、おおよそ台形状となるように形成されている（図３参照）。内カバー４は、膨出部４１の内側及び外側において、支持台１０にねじ止めされることによって器具本体１に固定されている。内カバー４は、４つの基板２１の外側の端部及び内側の端部をそれぞれ支持台１０との間に挟み込むことにより、４つのＬＥＤモジュール２０を器具本体１に固定している（図３参照）。
【００１９】
電源ユニット６は、図５Ａに示すように点灯回路部６０、制御部６１、力率改善回路６２、リモコン受信部６３などを備える。力率改善回路６２は、例えば、昇圧チョッパ回路で構成されることが好ましい。力率改善回路６２は、商用の電力系統Ｚから供給される交流電圧を、当該交流電圧の実効値よりも高い直流電圧に変換することで力率を改善するように構成される。
【００２０】
点灯回路部６０は、力率改善回路６２から出力される直流電圧を所望の直流電圧（ＬＥＤモジュール２０の駆動電圧）まで降圧するスイッチング電源回路を有する。点灯回路部６０は、図５Ｂに示すように、スイッチング電源回路である降圧チョッパ回路と、降圧チョッパ回路を駆動する駆動回路６００とで構成される。降圧チョッパ回路は、力率改善回路６２の正極側の出力端子にダイオードＤ１のカソードが電気的に接続され、ダイオードＤ１のアノードと力率改善回路６２の負極側の出力端子との間にスイッチング素子Ｑ１及び抵抗Ｒ１の直列回路が挿入される。また、ダイオードＤ１のカソード・アノード間に、電解コンデンサからなる平滑コンデンサＣ１及びインダクタＬ１が電気的に直列接続され、平滑コンデンサＣ１の両端に放電用の抵抗Ｒ２が電気的に接続される。なお、点灯回路部６０の出力端（降圧チョッパ回路の出力端）の間には、光源ユニット２を構成する４つのＬＥＤモジュール２０が電気的に並列接続されている（図５Ａ参照）。このような降圧チョッパ回路の動作は従来周知であり、スイッチング素子Ｑ１が高周波でスイッチングされることにより、入力電圧から降圧された直流電圧が平滑コンデンサＣ１の両端より光源ユニット２に出力される。また駆動回路６００は、制御部６１から与えられる制御信号に応じてスイッチング素子Ｑ１をスイッチングするように構成される。
【００２１】
制御部６１は、マイクロコントローラ及びメモリなどのハードウェアと、メモリに保存されてマイクロコントローラのＣＰＵ（中央演算処理装置）で実行されるプログラム（ソフトウェア）とで構成されることが好ましい。そして、以下に説明する制御部６１の動作（処理）は、マイクロコントローラのＣＰＵがプログラムを実行することで実現される。なお、電源ユニット６は、電源回路を備えることが好ましい。電源回路は、例えば、力率改善回路６２の出力電圧から、点灯回路部６０、制御部６１、力率改善回路６２、リモコン受信部６３の動作電源（５ボルトや３．３ボルトの直流電圧など）を作成するように構成される。
【００２２】
ここで、制御部６１は、点灯回路部６０のスイッチング電源回路を間欠動作させ、かつ、間欠動作の周期に対する動作期間（オン期間）のデューティ比を１００％から下限値（例えば、５％）の範囲で増減する。これにより、制御部６１は、光源ユニット２の光量（光束）を調整（調光）することができる。つまり、デューティ比が高くなるほど、光源ユニット２の光量が増加し、デューティ比が低くなるほど、光源ユニット２の光量が減少する。そして、デューティ比が１００％（調光範囲の上限）の場合はスイッチング電源回路が常時動作して光源ユニット２が定格点灯する。なお、以下の説明では、上述したデューティ比を調光比と呼ぶ。
【００２３】
リモコン受信部６３は、リモートコントローラ（以下、リモコンと略す）から送信される赤外線信号を受信（受光）し、受信した赤外線信号から復調した制御コードを制御部６１に出力する。そして、制御部６１は、制御コードに対応した動作、例えば、制御コードで指示される調光比で点灯回路部６０を制御して光源ユニット２の調光する。
【００２４】
電源ユニット６は、金属製のケース６７を有している（図２参照）。このケース６７には、プリント配線板６５が収容されている（図３参照）。プリント配線板６５には、点灯回路部６０、制御部６１、力率改善回路６２、リモコン受信部６３などを構成する種々の電子部品６６が実装されている（図３参照）。なお、電源ユニット６のケース６７は、器具本体１における支持台１０の上面に配置されて器具本体１にねじ止めされている（図２及び図３参照）。
【００２５】
ところで、照明器具Ｘ１は遮断部７を備えている（図５Ａ及び図５Ｂ参照）。遮断部７は、電源ユニット６から光源ユニット２への給電路に設けられている。遮断部７は、カバー３が器具本体１に取り付けられている場合に電源ユニット６から光源ユニット２への給電を遮断しないように構成されている。さらに、遮断部７は、カバー３が器具本体１に取り付けられていない場合に電源ユニット６から光源ユニット２への給電を遮断するように構成されている。つまり、遮断部７は、電気的な接点を有しており、カバー３の突部３２が引掛部１３に引っ掛かっている状態で接点を閉じ、カバー３の突部３２が引掛部１３に引っ掛かっていない状態で接点を開くように構成されている。
【００２６】
遮断部７は、図６Ａに示すように、第１接点部７０と第２接点部７１とを有している。第１接点部７０は、電源ユニット６の一方の出力端子（例えば、低電位側の出力端子）と電気的に接続されている。また、第２接点部７１は、光源ユニット２の一方の入力端子（例えば、低電位側の入力端子）と電気的に接続されている。第１接点部７０及び第２接点部７１は、図６Ａ及び図６Ｂに示すように、銅又は銅合金などの金属材料によって、薄い板状に形成されている。さらに、遮断部７は、３つの引掛部１３のうちの１つの引掛部１３の内部に収容されている。
【００２７】
第１接点部７０は、長手方向の一端部（固定部７００）で引掛部１３に固定されている（図６Ａ参照）。第１接点部７０は、固定部７００から伸びるＶ字状のばね片７０１と、接点７０２とを有している。接点７０２は、ばね片７０１の先端部分が折り曲げられた部分に設けられている。なお、固定部７００は、電線（図示せず）を介して電源ユニット６の低電位側の出力端子と電気的に接続されている。第２接点部７１は、矩形の平板状に形成されている。第２接点部７１は、その板厚の方向に沿って、第１接点部７０の接点７０２と対向するように引掛部１３に固定されている（図６Ａ参照）。
【００２８】
遮断部７は、引掛部１３にカバー３の突部３２が引っ掛けられた際、第１接点部７０のばね片７０１が引掛部１３に押されて撓むことにより、第１接点ばね７０の接点７０２と第２接点部７１とを接触させる（図６Ｂ参照）。また、遮断部７は、引掛部１３にカバー３の突部３２が引っ掛けられていない場合、第１接点ばね７０のばね片７０１が元の状態に復帰することにより、第１接点ばね７０の接点７０２と第２接点部７１とを離間させる（図６Ａ参照）。
【００２９】
つまり、遮断部７は、カバー３が器具本体１に取り付けられている場合に電源ユニット６から光源ユニット２への給電を遮断せず、カバー３が器具本体１に取り付けられていない場合に電源ユニット６から光源ユニット２への給電を遮断する。
【００３０】
次に、照明器具Ｘ１が天井に施工される施工作業について説明する。まず、施工作業を行う作業者は、天井に配置されている引掛シーリングＹに引掛シーリングアダプタ１２を取り付ける。続いて、作業者は、カバー３を取り外した状態の器具本体１を引掛シーリングアダプタ１２に取り付けた後、電源ユニット６に設けられている電源ケーブル（図示せず）を引掛シーリングアダプタ１２と電気的に接続する。より詳細には、作業者は、電源ケーブルの先端に設けられているプラグコネクタ（図示せず）を、引掛シーリングアダプタ１２の下面中央に配置されているレセプタクルコネクタ１２０（図１参照）に接続する。ここで、引掛シーリングＹに電力系統Ｚから交流電圧が給電されていれば、引掛シーリングアダプタ１２及び電源ケーブルを介して、電源ユニット６にも交流電圧が給電される。しかしながら、カバー３が器具本体１から取り外されているため、電源ユニット６から光源ユニット２への給電が遮断部７によって遮断されている。ゆえに、光源ユニット２は、作業者によって電源ユニット６の電源ケーブルと引掛シーリングアダプタ１２が電気的に接続されただけでは点灯しない。その結果、光源ユニット２から放射される光のうち、作業者の目に直接入る光の量を抑制することができる。
【００３１】
最後に、作業者は、３つの突部３２をそれぞれ３つの引掛部１３（遮断部７が設けられている引掛部１３を含む）に引っ掛けて、カバー３を器具本体１に取り付ける。そして、カバー３が器具本体１に取り付けられることにより、遮断部７が電源ユニット６から光源ユニット２への給電を遮断しなくなるので、光源ユニット２が点灯する。ただし、光源ユニット２が点灯したとき、光源ユニット２の前方がカバー３に覆われており、光源ユニット２から放射される光は、カバー３を透過する際に拡散される。その結果、光源ユニット２から放射される光のうち、作業者の目に直接入射する光（光束）が低減される。
【００３２】
上述のように照明器具Ｘ１は、発光ダイオード（ＬＥＤ２２）を光源とする光源ユニット２と、光源ユニット２に給電して点灯させる電源ユニット６とを備えている。また、照明器具Ｘ１は、光源ユニット２及び電源ユニット６を支持する器具本体１と、光源ユニット２を覆うようにして器具本体１に取り付けられるカバー３と、遮断部７とを備えている。遮断部７は、カバー３が器具本体１に取り付けられている場合に電源ユニット６から光源ユニット２への給電を遮断しないように構成されている。また、遮断部７は、カバー３が器具本体１に取り付けられていない場合に電源ユニット６から光源ユニット２への給電を遮断するように構成されている。
【００３３】
照明器具Ｘ１は上述のように構成されており、カバー３が器具本体１に取り付けられるまでは光源ユニット２が点灯せず、カバー３が器具本体１に取り付けられたら光源ユニット２が点灯する。そのため、照明器具Ｘ１は、発光しているＬＥＤ（ＬＥＤモジュール２０）が直視され難くすることができる。
【００３４】
また、照明器具Ｘ１において、遮断部７は、電源ユニット６の一方の出力端子と電気的に接続されている第１接点部７０と、光源ユニット２の入力端子と電気的に接続されている第２接点部７１とを有することが好ましい。さらに、第１接点部７０及び第２接点部７１は、カバー３が器具本体１に取り付けられている状態において接触して導通し、カバー３が器具本体１に取り付けられていない状態において接触せずに非導通となるように構成されていることが好ましい。
【００３５】
照明器具Ｘ１が上述のように構成されれば、ばね性を有する導電部材（例えば、金属板）などで遮断部７が構成可能となるので、製造コストの削減を図ることができる。
【００３６】
（実施形態２）
実施形態２に係る照明器具Ｘ２（以下、照明器具Ｘ２と略す）は、実施形態１の照明器具Ｘ１と同様の器具本体１、光源ユニット２、カバー３、内カバー４、外枠５及び電源ユニット６などを備えている。ゆえに、実施形態１の照明器具Ｘ１と同じ構成要素には同一の符号を付して図示並びに説明を省略する。
【００３７】
照明器具Ｘ２の電源ユニット６は、図７に示すように、実施形態１の照明器具Ｘ１における遮断部７に代えて、制御部６１と検知部６８とを有する遮断部９を備えている。検知部６８は、器具本体１に対してカバー３が取り付けられているか否かを検知するように構成されている。例えば、検知部６８は、実施形態１における第１接点部７０及び第２接点部７１と同じ構成を有している。すなわち、検知部６８は、第１接点部６８０と第２接点部６８１とを有している。検知部６８は、器具本体１にカバー３が取り付けられている場合に第１接点部６８０と第２接点部６８１とが接触（オン）し、器具本体１にカバー３が取り付けられていない場合に第１接点部６８０と第２接点部６８１とが離間（オフ）するように構成されている。
【００３８】
制御部６１は、図８に示すように、検知部６８がオンしている場合に点灯回路部６０を動作させ、検知部６８がオフしている場合に点灯回路部６０を停止させるように構成されている。なお、図８の上段は、点灯回路部６０の出力電流を示し、図８の中段は、光源ユニット２の調光比（デューティ比）を示し、図８の下段は、検知部６８の検知状態（オン・オフ）を示している。
【００３９】
ここで、制御部６１は、検知部６８がオフからオンに切り替わった際、調光比を０［％］から１００［％］に切り替えるのではなく、調光比を０［％］から１００［％］まで段階的に増加している（図８参照）。制御部６１が調光比を０［％］から１００［％］まで段階的に増加すれば、点灯回路部６０の出力電流は、ゼロから定格値まで徐々に増加する。
【００４０】
つまり、実施形態１の照明器具Ｘ１のように、器具本体１にカバー３が取り付けられると直ちに点灯回路部６０が光源ユニット２を定格点灯する場合、カバー３の取付作業を行う作業者が眩しさを感じることがある。これに対して照明器具Ｘ２の制御部６１は、器具本体１にカバー３が取り付けられると、点灯回路部６０を制御して出力電流を徐々に増加することにより、光源ユニット２の光量を徐々に増大させる。その結果、照明器具Ｘ２は、器具本体１にカバー３を取り付けた作業者に眩しさを感じさせ難くすることができる。
【００４１】
上述のように照明器具Ｘ２において、遮断部９は、器具本体１に対してカバー３が取り付けられているか否かを検知する検知部６８と、検知部６８の検知結果に応じて電源ユニット６を制御する制御部６１とを有することが好ましい。制御部６１は、器具本体１にカバー３が取り付けられていない場合、光源ユニット２への給電を遮断するように電源ユニット６を制御することが好ましい。また、制御部６１は、器具本体１にカバー３が取り付けられている場合、光源ユニット２への給電を遮断しないように電源ユニット６を制御することが好ましい。さらに、制御部６１は、検知部６８がカバー３の取り付けを検知すると、電源ユニット６を制御して光源ユニット２の光量を第１の光量（ゼロ）から第２の光量（定格点灯時の光量）まで徐々に増やすように構成されていることが好ましい。
【００４２】
照明器具Ｘ２が上述のように構成されれば、器具本体１にカバー３が取り付けられたときに、取付作業を行っている作業者に眩しさを感じさせ難くすることができる。
【００４３】
（実施形態３）
実施形態３に係る照明器具Ｘ３（以下、照明器具Ｘ３と略す）は、実施形態１の照明器具Ｘ１と同様の器具本体１、光源ユニット２、カバー３、内カバー４、外枠５及び電源ユニット６などを備えている。ゆえに、実施形態１の照明器具Ｘ１と同じ構成要素には同一の符号を付して図示並びに説明を省略する。
【００４４】
電源ユニット６は、図９に示すように、１対の第１出力線６０１Ａ、６０１Ｂと、１対の第２出力線６０２Ａ、６０２Ｂと、１対の第３出力線６０３Ａ、６０３Ｂとを有している。電源ユニット６は、１対の第１出力線６０１Ａ、６０１Ｂから直流電圧を出力し、１対の第２出力線６０２Ａ、６０２Ｂから直流電圧を出力し、１対の第３出力線６０３Ａ、６０３Ｂから直流電圧を出力するように構成されている。ただし、これらの直流電圧は、全て同じ電圧値であることが好ましい。また、「Ａ」の符号が付されている方の出力線（第１出力線６０１Ａ、第２出力線６０２Ａ、第３出力線６０３Ａ）は、「Ｂ」の符号が付されている方の出力線（第１出力線６０１Ｂ、第２出力線６０２Ｂ、第３出力線６０３Ｂ）よりも電位が高い。
【００４５】
光源ユニット２は、図９に示すように、第１ＬＥＤ回路２４１と、第２ＬＥＤ回路２４２と、第３ＬＥＤ回路２４３とを有している。第１ＬＥＤ回路２４１は、複数（図示例では５つ）のＬＥＤ２４１０の直列回路で構成されている。また、第２ＬＥＤ回路２４２は、複数（図示例では５つ）のＬＥＤ２４２０の直列回路で構成されている。さらに、第３ＬＥＤ回路２４３は、複数（図示例では５つ）のＬＥＤ２４３０の直列回路で構成されている。なお、これらのＬＥＤ２４１０、２４２０、２４３０は、同じ色の光（例えば、白色光）を放射するＬＥＤであってもよいし、互いに異なる色の光（例えば、赤色光、青色光、緑色光など）を放射するＬＥＤであってもよい。第１ＬＥＤ回路２４１の正極（最後尾のＬＥＤ２４１０のアノード）は、第１出力線６０１Ａと電気的に接続されている。第２ＬＥＤ回路２４２の正極（最後尾のＬＥＤ２４２０のアノード）は、第２出力線６０２Ａと電気的に接続されている。第３ＬＥＤ回路２４３の正極（最後尾のＬＥＤ２４３０のアノード）は、第３出力線６０３Ａと電気的に接続されている。なお、これら３つのＬＥＤ回路２４１〜２４３は、４つのＬＥＤモジュール２０にそれぞれ設けられていることが好ましい。
【００４６】
ここで、照明器具Ｘ３は、図９に示すように、３つの遮断部（第１遮断部７Ａ、第２遮断部７Ｂ、第３遮断部７Ｃ）を有している。第１遮断部７Ａは、３つの接点部（第１接点部７２Ａ、第２接点部７２Ｂ、第３接点部７２Ｃ）を有している。第１接点部７２Ａは、第１ＬＥＤ回路２４１の負極（先頭のＬＥＤ２４１０のカソード）と第１出力線６０１Ｂとの間に電気的に接続されている。第２接点部７２Ｂは、第２ＬＥＤ回路２４２の負極（先頭のＬＥＤ２４２０のカソード）と第２出力線６０２Ｂとの間に電気的に接続されている。第３接点部７２Ｃは、第３ＬＥＤ回路２４３の負極（先頭のＬＥＤ２４３０のカソード）と第３出力線６０３Ｂとの間に電気的に接続されている。第２遮断部７Ｂは、２つの接点部（第４接点部７２Ｄ、第５接点部７２Ｅ）を有している。第４接点部７２Ｄは、第２ＬＥＤ回路２４２の負極と第２出力線６０２Ｂとの間に電気的に接続されている。第５接点部７２Ｅは、第３ＬＥＤ回路２４３の負極と第３出力線６０３Ｂとの間に電気的に接続されている。第３遮断部７Ｃは、１つの接点部（第６接点部７２Ｆ）を有している。第６接点部７２Ｆは、第３ＬＥＤ回路２４３の負極と第３出力線６０３Ｂとの間に電気的に接続されている。
【００４７】
ここで、第１接点部７２Ａ〜第６接点部７２Ｆの６つの接点部は、いずれも実施形態１の照明器具Ｘ１における遮断部７と共通の構成を有している。つまり、これら６つの接点部は、カバー３の突部３２が引掛部１３に引っ掛けられているときに閉じ（オンし）、カバー３の突部３２が引掛部１３に引っ掛けられていないときに開く（オフする）ように構成されている。さらに、第１遮断部７Ａの３つの接点部７２Ａ〜７２Ｃは、図１０Ａに示すように、器具本体１の下面の周縁部分において、周方向に沿って隣り合うように並べて配置された３つの引掛部１３Ａ〜１３Ｃにそれぞれ設けられている。第２遮断部７Ｂの２つの接点部７２Ｄ、７２Ｅは、器具本体１の下面の周縁部分において、第１遮断部７Ａから反時計回りに約２π／３移動した箇所に配置された２つの引掛部１３Ｄ、１３Ｅにそれぞれ設けられている（図１０Ａ参照）。第３遮断部７Ｃの接点部７２Ｆは、器具本体１の下面の周縁部分において、第１遮断部７Ａから時計回りに約２π／３移動した箇所に配置された引掛部１３Ｆに設けられている（図１０Ａ参照）。
【００４８】
一方、カバー３は、３つの突部３２を有している。ただし、これら３つの突部３２は、図１０Ｂに示すように、周方向に沿って隣り合うように並べて配置されている。
【００４９】
カバー３の３つの突部３２は、第１遮断部７Ａが設けられている３つの引掛部１３Ａ〜１３Ｃにそれぞれ引っ掛けられている場合、第１遮断部７Ａの３つの接点部７２Ａ〜７２Ｃを全て閉じる。なお、第２遮断部７Ｂの２つの接点部７２Ｄ、７２Ｅと第３遮断部７Ｃの接点部７２Ｆは、全て開いたままである。したがって、電源ユニット６から出力される直流電圧が第１ＬＥＤ回路２４１、第２ＬＥＤ回路２４２、第３ＬＥＤ回路２４３に印加され、全てのＬＥＤ回路２４１〜２４３が点灯する。
【００５０】
また、カバー３の３つの突部３２のうちの２つの突部３２は、第２遮断部７Ｂが設けられている２つの引掛部１３Ｄ、１３Ｅにそれぞれ引っ掛けられている場合、第２遮断部７Ｂの２つの接点部７２Ｄ、７２Ｅを全て閉じる。なお、第１遮断部７Ａの３つの接点部７２Ａ〜７２Ｃと第３遮断部７Ｃの接点部７２Ｆは、全て開いたままである。したがって、電源ユニット６から出力される直流電圧が第２ＬＥＤ回路２４２及び第３ＬＥＤ回路２４３に印加され、第２ＬＥＤ回路２４２と第３ＬＥＤ回路２４３が点灯する。
【００５１】
さらに、カバー３の３つの突部３２のうちの１つの突部３２は、第３遮断部７Ｃが設けられている１つの引掛部１３Ｆに引っ掛けられている場合、第３遮断部７Ｃの接点部７２Ｆを閉じる。なお、第１遮断部７Ａの３つの接点部７２Ａ〜７２Ｃと第２遮断部７Ｂの２つの接点部７２Ｄ、７２Ｅは、全て開いたままである。したがって、電源ユニット６から出力される直流電圧が第３ＬＥＤ回路２４３のみに印加され、第３ＬＥＤ回路２４３のみが点灯する。
【００５２】
すなわち、照明器具Ｘ３は、器具本体１に対して、３通りのカバー３の取付位置を有しており、器具本体１に対するカバー３の取付位置に対応して、３つのＬＥＤ回路２４１〜２４３の点灯状態を切り替えるように構成されている。したがって、照明器具Ｘ３は、器具本体１に対するカバー３の取付位置に応じて、照明光（光源ユニット２から放射される光）の光量や光色を容易に変更することができる。
【００５３】
上述のように照明器具Ｘ３は、複数の遮断部（第１遮断部７Ａ、第２遮断部７Ｂ、第３遮断部７Ｃ）を備えることが好ましい。カバー３は、複数の取り付け状態の中から選択可能な任意の１つの取り付け状態で器具本体１に取り付けられるように構成されることが好ましい。光源ユニット２は、複数の発光ダイオードモジュール（第１ＬＥＤ回路２４１、第２ＬＥＤ回路２４２、第３ＬＥＤ回路２４３）を有することが好ましい。複数の遮断部７Ａ〜７Ｃのそれぞれは、複数の取り付け状態のうちの互いに異なる１つの取り付け状態において、複数のＬＥＤ回路２４１〜２４３の中から選択される１つ又は複数のＬＥＤ回路２４１〜２４３への給電を遮断しないように構成されていることが好ましい。
【００５４】
照明器具Ｘ３が上述のように構成されれば、器具本体１に対するカバー３の取り付け状態（取付位置）に応じて、照明光（光源ユニット２から放射される光）の光量や光色を容易に変更することができる。
【符号の説明】
【００５５】
Ｘ１〜Ｘ３  照明器具
１  器具本体
２  光源ユニット
３  カバー
６  電源ユニット
７、７Ａ〜７Ｃ、９  遮断部
１３  引掛部
２２  ＬＥＤ（発光ダイオード）
６１  制御部
６８  検知部
７０  第１接点部
７１  第２接点部
２４１  第１ＬＥＤ回路（発光ダイオードモジュール）
２４２  第２ＬＥＤ回路（発光ダイオードモジュール）
２４３  第３ＬＥＤ回路（発光ダイオードモジュール）
【図１】
0006695055.tif 000002
【図２】
0006695055.tif 000003
【図３】
0006695055.tif 000004
【図４】
0006695055.tif 000005
【図５】
0006695055.tif 000006
【図６】
0006695055.tif 000007
【図７】
0006695055.tif 000008
【図８】
0006695055.tif 000009
【図９】
0006695055.tif 000010
【図１０】
0006695055.tif 000011